(57)【要約】【課題】軽量であるにもかかわらず耐圧強度に優れた段ボール製パレットを提供する。【解決手段】複数の中間支持枠係止片１１を同列上に切り起こした中間支持枠係止片列の両側に複数のサイド支持枠係止片１２を同列上に切り起こしたサイド支持枠係止片列を配列した角形の底板材１と、中間支持枠係止片１１に脚板部２２、２２を係止させて底板材１上に組み込んだ中間支持枠２と、サイド支持枠係止片１２に内脚板部３３を係止させて底板材１上の両側に配置されるサイド支持枠３と、中間支持枠係止片列とサイド支持枠係止片列間において底板材１上に組み込まれたリフト支持枠４と、底板材１と略同形同大で中間支持枠２とサイド支持枠３とリフト支持枠４の各上面に接着固定した天板材５とよりなる。【選択図】　　　　図１
2004106893.tif 000002
【特許請求の範囲】
【請求項１】
係止用の切込（１１ａ）　、（１１ａ）　を上縁に備えた複数の中間支持枠係止片（１１）を同列上に切り起こして形成した中間支持枠係止片列の両側に同じく係止用の切込（１２ａ）　を上縁に備えた複数のサイド支持枠係止片（１２）を同列上に切り起こして形成したサイド支持枠係止片列を配列してある角形の底板材（１）　と、前記した中間支持枠係止片（１１）の切込（１１ａ）　、（１１ａ）　に両側の脚板部（２２）、（２２）を係止させて底板材（１）　の上面に組み込んだ断面略門型の中間支持枠（２）　と、前記したサイド支持枠係止片（１２）の切込（１２ａ）　に内脚板部（３３）を係止させて底板材（１）　の上面両側に配置されるサイド支持枠（３）　と、前記した中間支持枠係止片列とサイド支持枠係止片列との間において底板材（１）　の上面に組み込まれたリフト支持枠（４）　と、前記した底板材（１）　と略同形同大で前記中間支持枠（２）　とサイド支持枠（３）　とリフト支持枠（４）　の各上面に接着固定される天板材（５）　とよりなることを特徴とする段ボール製パレット。
【請求項２】
サイド支持枠（３）　が底板材（１）　とは別部材で、このサイド支持枠（３）　の外脚板部（３１）に続く下板部（３４）を底板材（１）　の上面に接着することにより一体的に設けられたものである請求項１に記載の段ボール製パレット。
【請求項３】
サイド支持枠（３）　が底板材（１）　の側部を折曲することにより一連に設けられたものである請求項１に記載の段ボール製パレット。
【発明の詳細な説明】
【０００１】
【発明の属する技術分野】
本発明は、段ボール製パレットに関するものである。
【０００２】
【従来の技術】
【特許文献１】特開平７−１７２４３８号公報
【特許文献２】特開２０００−６９７１号公報
【０００３】
従来の段ボール製パレットは、多数枚の段ボールを接着剤で積層一体した桁材の複数本を　　所要の間隔をおいて平行に配置してこれらの上下面に天板材と底板材を接着固定したものが普通であった。
【０００４】
【発明が解決しようとする課題】
ところが、このような従来のものにあっては、桁材間における天板材面に荷重を受けた場合に天板材が歪み損傷する虞があり、また、リフトのホーク爪が直接天板材の下面を支えることとなるので天板材の強度を強くするため積層する必要があり、さらに、多数枚の段ボールを接着剤で積層一体した桁材は製造に手数を要するうえ使用材料が多く重量が重くなる問題があった。
【０００５】
【課題を解決するための手段】
前記の課題を解決するためになされた本発明の段ボール製パレットは、係止用の切込を上縁に備えた複数の中間支持枠係止片を同列上に切り起こして形成した中間支持枠係止片列の両側に同じく係止用の切込を上縁に備えた複数のサイド支持枠係止片を同列上に切り起こして形成したサイド支持枠係止片列を配列してある角形の底板材と、前記した中間支持枠係止片の切込に両側の脚板部を係止させて底板材の上面に組み込んだ断面略門型の中間支持枠と、前記したサイド支持枠係止片の切込に内脚板部を係止させて底板材の上面両側に配置されるサイド支持枠と、前記した中間支持枠係止片列とサイド支持枠係止片列との間において底板材の上面に組み込まれたリフト支持枠と、前記した底板材と略同形同大で前記中間支持枠とサイド支持枠とリフト支持枠の各上面に接着固定される天板材とよりなることを特徴とするものを基本構成とする。そして、前記した請求項１に記載の発明におけるサイド支持枠は、底板材とは別部材として、この別部材のサイド支持枠の外脚板部に続く下板部を底板材の上面に接着することにより一体的に設けられたものであっても、底板材の側部に続く部分を折曲することにより一連に設けられたものとしてもよく、これらを請求項２および請求項３の発明とする。
【０００６】
【発明の実施の形態】
次に、本発明の好ましい実施の形態を図面に基づき説明する。
１は段ボールよりなる四角形状の底板材であり、この底板材１にはその上面に対して上向き９０度の角度で同列上に切り起こされた複数の中間支持枠係止片１１よりなる中間支持枠係止片列を挟んで、その両側に同じく底板材１の上面に対して上向き９０度の角度で同列上に切り起こされた複数のサイド支持枠係止片１２よりなるサイド支持枠係止片列とが配列されており、前記した中間支持枠係止片１１は前記したよう底板材１から切り起こされた各板片の上縁から２個の係止用の切込１１ａ、１１ａを下向きに設けたものであり、一方、サイド支持枠係止片１２は前記したよう底板材１から切り起こされた各板片の上縁から１個の係止用の切込１２ａを下向きに形成したものとしている。
【０００７】
２は段ボール材を折曲して形成した断面略門型の中間支持枠であって、この中間支持枠２は上板部２１に続く両側の脚板部２２、２２を前記した中間支持枠係止片１１の係止用の切込１１ａ、１１ａに係止させて底板材１の上面に組み込まれている。この中間支持枠２の組付手段としては、図示例では各脚板部２２の前後に所要間隔をおいて配設してある切込２２ａを前記した中間支持枠係止片１１の切込１１ａ、１１ａに係合させて各脚板部２２の下端縁を底板材１の上面に当接させたものとしている。
【０００８】
３は段ボール材を折曲して形成した断面略門型のサイド支持枠であって、図示例におけるサイド支持枠３は、前記した中間支持枠２と略同幅の上板部３２の両側に外脚板部３１と内脚板部３２が形成されるように下向きに折曲するとともに、外脚板部３１に下板部３４が形成されるように内向きに折曲形成したものである。そして、このサイド支持枠３は前記したサイド支持枠係止片１２に設けた切込１２ａに内脚板部３３の下端から中間部にわたって設けた切込３３ａを係止させて内脚板部３３の下端縁を底板材１の上面に当接させた状態で底板材１の両側に配置させてある。なお、このサイド支持枠３は、図示例では底板材１とは別体のものとして、このサイド支持枠３の下板部３４を底板材１の上面に接着することにより底板材１と一体的に設けられたものとしているが、サイド支持枠３を底板材１から延長された部分を折曲することにより一連に形成されたものとしてもよい。
【０００９】
４は段ボール材を折曲して形成した断面略門型のリフト支持枠であって、このリフト支持枠４は、前記した中間支持枠２やサイド支持枠より広幅の上板部４１の両側に脚板部４２、４２とを折曲して続かせるとともに各脚板部４２を二重となるように２つ折りしたもので、このリフト支持枠４は少なくとも２個を用意して前記した中間支持枠係止片列と、サイド支持枠係止片列との間において底板材１の上面にそれぞれ組み込んである。
【００１０】
５は前記した底板材１と略同形同大の段ボールよりなる天板材であって、この天板材５は前記した中間支持枠２とサイド支持枠３、３とリフト支持枠４、４の各上板部２１、３２、３２、４１、４１の上面に接着一体化されている。
【００１１】
このように構成されたものは、底板材１には係止用の切込１１ａ、１１ａを上縁に備えた複数の中間支持枠係止片１１によって形成された中間支持枠係止片列と、同じく係止用の切込１２ａを上縁に備えた複数のサイド支持枠係止片１２によって形成したサイド支持枠係止片列が両側に配列されていて、この中間支持枠係止片列の各中間支持枠係止片１１の上縁に設けた係止用の切込１１ａ、１１ａに両側の脚板部２２、２２を係止させることにより中間支持枠２を的確に係止固定するとともに、両サイド支持枠係止片列の各サイド支持枠係止片１２の上縁に設けた係止用の切込１２ａに内脚板部３２を係止させることによりサイド支持枠３を的確に係止固定してあり、さらに、前記した中間支持枠係止片列と両サイド支持枠係止片列との間において底板材１の上面にはリフト支持枠４を組み込んであるから、底板材１に対して骨格となる中間支持枠２とサイド支持枠３とリフト支持枠４とは一体化されており、しかも、これら中間支持枠２とサイド支持枠３とリフト支持枠４はそれぞれの上面に接着固定された天板材５により一体化されているので、各部材は的確に一体化されて使用中に分離されることがなく、天板材５に受けた平面荷重は中間支持枠２の上板部２１、サイド支持枠３、３の上板部３２、３２及びリフト支持枠４、４の上板部４１に分散して受けたうえ、中間支持枠２の脚板部２２、２２、サイド支持枠３、３の外脚板部３２、内脚板部３３及びリフト支持枠４、４の脚板部４２、４２に加わるので、各脚板部が座屈する虞がなく、また、天板材５上に重量物を載せてフォークリフトにより運ぶ際にリフト支持枠４、４の上板部４１，４１の下面をフォーク爪が支えて天板材５に直接接触することがないので、天板材５が歪んで積載荷物が落下する虞もない。
【００１２】
即ち、中間支持枠２が両側の脚板部２２，２２の下端から設けた切込２２ａを底板材１の中央に前後方向に切り起こし形成した複数の中間支持枠係止片１１の両側に設けた切込１１ａ、１１ａに合致させて組み付けてあるため、両側の脚板部２２、２２は９０度に自立して横倒れることのなく、また、底板材１の左右両側に一体とされた外脚板部３１の上端縁に続く上板部３２の内側に内脚板部３３を連設したサイド支持枠３は、内脚板部３３の下端から設けた切込３３ａを前記サイド支持枠係止片１２の切込１２ａに合致させて組み付けてあるため、内脚板部３３が９０度に自立するとともに対向した外脚板部３１も上板部３２を介して９０度で自立して垂直な端面形状をとることができて耐圧強度に優れたものとなる。
【００１３】
また、リフト支持枠４，４は中間支持枠係止片１１と両側のサイド支持枠係止片１２、１２との間に嵌合されて両側の脚板部４２、４２の外側面を中間支持枠係止片１１とサイド支持枠係止片１２の側部端面に当接させることにより脚板部４２を９０度に自立させているので耐圧に最も有効な姿勢をとるものであり、さらに、このような中間支持枠２、サイド支持枠３、３及びリフト支持枠４、４はその各上板部２１、３２、４１に天板材５が接着固定されていることにより中間支持枠２、サイド支持枠３、３及びリフト支持枠４、４は横倒れが防止されて耐圧強度に優れたものとなる。
【００１４】
さらに、本発明においては中間支持枠係止片１１とサイド支持枠係止片１２を底板材１に切起こして形成して前記した中間支持枠２、サイド支持枠３、３及びリフト支持枠４、４を自立させることができるようにしたので大幅な材料の削減をすることが可能となるものである。
【００１５】
しかして、このような段ボール製パレットを組み立てるには、図２に示すように、段ボール素板の中央に前後方向に所要の間隔をあけて複数の門型切込線１ａを切り込んだうえその内側部分を折曲起立させて上縁より下向きの切込１１ａ、１１ａを備えた複数の中間支持枠係止片１１よりなる中間支持枠係止片列を形成するとともに、左右両側にも前後方向に所要の間隔をあけて複数の門型切込線１ｂを切り込んだうえその内側部分を折曲起立させて上縁より下向きの切込１２ａを備えた複数のサイド支持枠係止片１２よりなるサイド支持枠係止片列を形成してこれを底板材１とする。
【００１６】
次に、断面略門型の中間支持枠２を図３に示す中央支持枠組立用の段ボール素板から組立ててその脚板部２２，２２の各切込２２ａを前記中間支持枠係止片１１の切込１１ａに合致させて該中間支持枠２を中間支持枠係止片列に組み付ける。続いて、断面略門型のリフト支持枠４，４をその両側の脚板部４２、４２の外側面が中間支持枠係止片１１とサイド支持枠係止片１２の側部端面に当接されるようにして前記した中間支持枠係止片列とサイド支持枠係止片列との間に嵌合して組み付ける。この場合、脚板部４２の下端に係止突起４２ａを突設して底板材１に設けた係止孔１ｃに嵌合するとともに、脚板部４２の側面に設けた係止孔４２ｂにサイド支持枠係止片１２の側部端面に突設した係止突起１２ｂに係止させるようにしておけば位置決め及び仮止めとなり組立作業が容易となる。なお、この脚板部４２は上板部４１に続く外側脚板部４２ｃと該外側脚板部４２ｃの下端内側に折り返し形成される内側脚板部４２ｄとにより二重構造に形成して耐圧強度を高めたものとすることが好ましい。
【００１７】
続いて、底板材１とは別体に形成したサイド支持枠３を底板材１と一体とすべくその下板部３４を底板材１の側部上面に接着し、この一体としたサイド支持枠３を内脚板部３３の下端から中間部に亘り設けた切込３３ａを前記したサイド支持枠係止片１２の切込１２ａに係合させて内脚板部３３の下端面を底板材１の上面に当接させ、該内脚板部３３を９０度に自立するように取り付ける。そして、最後にこのように底板材１に組み込んだ中間支持枠２、サイド支持枠３、３及びリフト支持枠４、４の上面に接着剤を塗布して天板材５を接着固定すれば、本発明の段ボール製パレットが組み立てられることになる。このように組立工程においては天板材５を接着することを除けば底板材１に中間支持枠２、サイド支持枠３、３及びリフト支持枠４、４を夫々組み込む際に接着固定手段を殆ど用いることがないのでその手数が省け組立が容易なものである。
【００１８】
【発明の効果】
以上説明したように、本発明の段ボール製パレットは、底板材に切り起こし形成した中間支持枠係止片とサイド支持枠係止片とにより断面略門型の中間支持枠、リフト支持枠及びサイド支持枠を自立保持させることにより、多数枚の段ボールを接着剤で積層一体した桁材を用いた従来品に比べて製造に手数を要することがないうえに使用材料が少なくて軽量となり、しかも、天板材面に受ける荷重にも良く耐えるうえにリフトのホーク爪が直接天板材の下面に直接接触することもないので天板材の損傷がなくて十分な耐久性を備えており、さらに、簡単な組立作業で組み付けることができるうえに接着剤の使用量も少なくできて安価に量産できるものとなる。
よって、本発明は従来の段ボール製パレットの問題点を解決したもので、業界にもたらす益大なものである。
【図面の簡単な説明】
【図１】本発明の実施形態を示す一部切欠斜視図である。
【図２】本発明の実施形態の組立工程をす斜視図である。
【図３】本発明の実施形態に使用する中間支持枠の組立て素板を示す平面図である。
【図４】本発明の実施形態に使用するサイド支持枠を示す斜視図である。
【図５】本発明の実施形態に使用するサイド支持枠の組立て素板を示す平面図である。
【図６】本発明の実施形態に使用するリフト支持枠の組立て素板を示す平面図である。
【符号の説明】
１　　底板材
１１　　中間支持枠係止片
１１ａ　切込
１２　　サイド支持枠係止片
１２ａ　切込
２　　中間支持枠
２１　　上板部
２２　　脚板部
２２ａ　切込
３　サイド支持枠
３１　　外脚板部
３２　　上板部
３３　　内脚板部
３３ａ　切込
４　　リフト支持枠
４１　　上板部
４２　　脚板部
【図１】
2004106893.tif 000003
【図２】
2004106893.tif 000004
【図３】
2004106893.tif 000005
【図４】
2004106893.tif 000006
【図５】
2004106893.tif 000007
【図６】
2004106893.tif 000008